(57)【要約】【課題】  連結装置以外のＰＣ等の外部機器からの画像入力が加わった場合にもγ補正動作が適正化され画質劣化を起こさないようにする。【解決手段】  画像出力要求されたジョブのデータに付加された管理データ（スキャナID等）をチェックすることにより画像入力パス（入力元）を判別し、ＰＣ等からネットワーク経由でプリンタ機能を利用してくる入力パスはγ補正をスルーさせ（Ｓ３２）、本機のスキャナ入力パス又は連結元からの入力パスは、予めＡＣＣ（自動階調補正）モード処理により登録した各々の補正値を適用する（Ｓ３３，３５）。連結元入力パスに対する補正値が未登録の場合、ＡＣＣモードの実行か、本機の補正値を代用するかを選択可能にする（Ｓ３７）。ＡＣＣモードによる補正値登録手順は、登録する機械のプリンタユニットで基準ACCパターンを出力させ、パターン画像を各機械のスキャナユニットにより読み取らせて得る。【選択図】          図１３
2005191804.tif 000002
【特許請求の範囲】
【請求項１】
画像形成出力要求に伴って原稿読み取り手段或いは通信手段を通して入力される画像データによる画像形成が可能な画像形成装置であって、入力画像に基づいて画像入力パスを判別する手段と、予め機器設定の自動階調補正方式によって画像形成装置を経由する入力パスごとのプリンタγ補正データを得る手段と、得たプリンタγ補正データを入力パスに対応付けて登録する手段と、画像出力に用いるプリンタγ補正データを判別した入力パスに対応付けて登録した補正データに切り替える手段と、切り替えたプリンタγ補正データの設定で画像データを補正する手段を備えたことを特徴とする画像形成装置。
【請求項２】
請求項1に記載された画像形成装置において、プリンタγ補正データを切り替える前記手段は、通信手段により結ばれた外部の画像形成装置を経由した入力パスに対応するプリンタγ補正データがないときに、画像形成装置自身のプリンタγ補正データを優先させる手段であることを特徴とする画像形成装置。
【請求項３】
請求項1又は２に記載された画像形成装置において、画像形成装置自身のプリンタγ補正データを新たに登録したときに、通信手段により結ばれた外部の画像形成装置を経由した入力パスに対応するプリンタγ補正データを新たに登録することを必要とする旨のメッセージを表示する手段を備えたことを特徴とする画像形成装置。
【請求項４】
請求項１乃至３のいずれかに記載された画像形成装置において、画像形成装置自身のプリンタγ補正データを新たに登録したときに、通信手段により結ばれた外部の画像形成装置を経由した入力パスに対応するプリンタγ補正データを画像形成装置自身のプリンタγ補正データ或いは初期データを仮のデータとして書き換える手段を備えたことを特徴とする画像形成装置。
【請求項５】
画像形成装置の画像処理部に備えたコンピュータに、機器設定の自動階調補正方式によって画像形成装置を経由する入力パスごとのプリンタγ補正データを取得する手順、取得したプリンタγ補正データを登録する手順、入力画像に基づいて画像入力パスを判別する手順、画像出力に用いるプリンタγ補正データを判別した入力パスに対応付けて登録した補正データに切り替える手順、切り替えたプリンタγ補正データの設定で画像データを補正する手順を実行させるためのプログラム。
【発明の詳細な説明】
【技術分野】
【０００１】
本発明は、原稿読み取り手段或いは通信手段によって入力される画像データを用いた画像形成（印刷）が可能な画像形成装置（例えば、デジタル複写機、プリンタ、デジタル複合機等）に関し、画像形成時に画像の入力パスに対応するプリンタγ補正を行うようにした前記画像形成装置及び、該プリンタγ補正処理を行うためのプログラムに関する。
【背景技術】
【０００２】
従来から、デジタル複写機、プリンタ等の画像形成装置と画像データを生成、保有する装置（同類の画像形成装置或いはＰＣ等）の間を通信手段によって結ぶことにより、画像データを保有する側から転送されてくる画像データをもとに画像形成処理を行うという動作（複写装置間で行うこの動作を“連結コピー”動作と呼ばれる）を可能にしたシステムが構築されている。このような連結コピーを行う複写装置システムでは、画像入力を行う装置側の設定で画像出力をする画像形成装置を指定できる。元の画像（原稿）が同じであれば、どの画像形成装置から入力しても（自装置も含む）、出力先では同じ出力結果が得られることが望ましい。ところが、実際には個々の装置特性に違いがあるので、自装置入力で画像形成を行う場合と、他装置入力で転送されてきた画像データを基に画像形成を行う場合に、同じ出力結果が得られるとは限らない。特に画像形成装置がカラー機の場合、連結した画像形成装置における画質が問題となっていた。即ち、従来では自機の特性に合わせた補正データを連結した他機からの入力に対しても用いていたために、画質が変化するということが生じていた。
【０００３】
この問題を解決するための提案を行っている従来例として、下記特許文献１を示すことができる。
特許文献１では、プリンタγ補正に用いる補正データに画像入力を行った転送元の機器特性を反映させることにより、自装置入力による画像との画像出力（画像形成結果）に違いが出ないようにしている。なお、プリンタγ補正は、入力データ値とプリンタ出力画像濃度の関係をリニアにするために、作像用のデータを生成する段階で行う入力画像データに対する補正である。
特許文献１のプリンタγ補正による方法は、具体的には、自動階調補正(ＡＣＣ：Auto Color Calibration)方式によって、画像形成装置の作像装置により出力したＡＣＣ基準パターンを自装置及び連結した転送元の画像形成装置のスキャナで読ませ、読み取ったデータに基づいてそれぞれ算出したプリンタγ補正データを登録する。画像形成時には、登録した補正データを対応する自装置及び転送先からの入力画像に適用することにより、自装置入力と、他装置入力で転送されてきた画像データによる画質が変化しないようにするという目的を達する。
【特許文献１】特開2003-211736号公報
【発明の開示】
【発明が解決しようとする課題】
【０００４】
しかしながら、上記特許文献１に示す従来例では、画像形成装置同士を連結したシステムを想定したものであり、通信手段を介して画像形成装置に画像形成を要求して送信してくるＰＣ画像データ等のその他の外部装置（機器）からの画像入力について考慮していないので、こうした種類の画像データに対する適合性を欠き、画質に悪影響が出てしまう。
また、経時変化によりＡＣＣによるプリンタγ補正データの書き換えが必要になる場合が生じる。上記特許文献１では、このようなときに適正な動作を保証するための備えがない。即ち、自装置の書き換えに伴い、他装置からの入力画像に用いるプリンタγ補正データに対する書き換えを行う必要があるが、この点について考慮されていない。
本発明は、上記した従来技術における問題に鑑み、これを解決するためになされたもので、その解決課題は、第1に、通信手段を介して画像形成装置に画像形成を要求して送信してくるＰＣ画像データ等の連結装置以外の外部装置（機器）からの画像入力が加わった場合にも、γ補正動作が適正に行われずに画質を劣化させるという不具合を起こさないようにすることにある。
また、第２に、経時変化に応じてＡＣＣによるプリンタγ補正データの書き換えを行い、本機内の画像入力パスに対する補正を適正化したときに、転送されてくる画像入力に対しても適正な補正動作を保証することにある。
【課題を解決するための手段】
【０００５】
請求項１の発明は、画像形成出力要求に伴い原稿読み取り手段或いは通信手段により入力される画像データを用いた画像形成が可能な画像形成装置であって、入力画像に基づいて画像入力パスを判別する手段と、予め機器設定の自動階調補正方式によって画像形成装置を経由する入力パスごとのプリンタγ補正データを得る手段と、得たプリンタγ補正データを入力パスに対応付けて登録する手段と、画像出力に用いるプリンタγ補正データを判別した入力パスに対応付けて登録した補正データに切り替える手段と、切り替えたプリンタγ補正データの設定で画像データを補正する手段を備えたことを特徴とする画像形成装置である。
請求項２の発明は、請求項1に記載された画像形成装置において、プリンタγ補正データを切り替える前記手段は、通信手段により結ばれた外部の画像形成装置を経由した入力パスに対応するプリンタγ補正データがないときに、画像形成装置自身のプリンタγ補正データを優先させる手段であることを特徴とするものである。
【０００６】
請求項３の発明は、請求項1又は２に記載された画像形成装置において、画像形成装置自身のプリンタγ補正データを新たに登録したときに、通信手段により結ばれた外部の画像形成装置を経由した入力パスに対応するプリンタγ補正データを新たに登録することを必要とする旨のメッセージを表示する手段を備えたことを特徴とするものである。
請求項４の発明は、請求項１乃至３のいずれかに記載された画像形成装置において、画像形成装置自身のプリンタγ補正データを新たに登録したときに、通信手段により結ばれた外部の画像形成装置を経由した入力パスに対応するプリンタγ補正データを画像形成装置自身のプリンタγ補正データ或いは初期データを仮のデータとして書き換える手段を備えたことを特徴とするものである。
【０００７】
請求項５の発明は、画像形成装置の画像処理部に備えたコンピュータに、機器設定の自動階調補正方式によって画像形成装置を経由する入力パスごとのプリンタγ補正データを取得する手順、取得したプリンタγ補正データを登録する手順、入力画像に基づいて画像入力パスを判別する手順、画像出力に用いるプリンタγ補正データを判別した入力パスに対応付けて登録した補正データに切り替える手順、切り替えたプリンタγ補正データの設定で画像データを補正する手順を実行させるためのプログラムである。
【発明の効果】
【０００８】
請求項１，５の発明によると、画像入力パスを判別し、パスに対応するプリンタγ補正データに切り替え、入力画像に適合するγ補正処理を行うことにより、連結動作が可能な装置以外のＰＣ等の外部機器からの画像入力が加わった場合にも、γ補正動作を適正に行うことが可能になり、画質を劣化させるという不具合を起こすことがない。
また、請求項２の発明によると、連結動作が可能な外部画像形成装置を経由した入力パスに対応するプリンタγ補正データがないときに、画像形成装置自身のプリンタγ補正データを優先させるようにしたので、画質の劣化を所定範囲内に抑えることが可能になる。
また、請求項３の発明によると、画像形成装置自身のプリンタγ補正データを登録したときに、連結動作が可能な外部画像形成装置に対応する補正データの再登録を指示するメッセージを表示し注意を喚起することにより、補正データの不適合による画質の劣化を回避することが可能になる。
また、請求項４の発明によると、画像形成装置自身のプリンタγ補正データを登録したときに、連結動作が可能な外部画像形成装置に対応する補正データを画像形成装置自身のプリンタγ補正データ或いは初期データを仮のデータとして自動的に書き換えるようにしたので、再登録が遅れても画質の劣化を所定範囲内に抑えることが可能になる。
【発明を実施するための最良の形態】
【０００９】
本発明を添付する図面とともに示す以下の実施形態に基づき説明する。ここで示す実施例は、本発明の画像形成装置をネットワークに接続可能な複合型のデジタル複写機に適用した例を示す。本例の複合型の複写機は、ネットワーク接続によって、他の複写機との連結動作を行い、またホストＰＣ等の外部機器からの出力要求に応えてプリンタ機能を用いて印刷出力を行うことができる。図１は、本発明の実施例に係わる複写機の全体構成を概略図として示す。図１を参照し、本機の装置構成、機能及び動作を、原稿の読み取り、読み取った画像データの処理、処理後のデータによる画像書き込み、という複写機能を中心にした動作フローに沿って、以下に説明する。
自動原稿送り装置（以下「ＡＤＦ」と記す）１に設けた原稿台２に原稿の画像面を上にして置かれた原稿束は、ユーザにより操作部３０（図２参照）のプリントキー３４の押下により動作がスタートされると、一番下の原稿から給送ローラ３、給送ベルト４によってコンタクトガラス６上の所定の位置に給送される。この時、一枚の原稿の給送完了毎に原稿枚数をカウントアップするカウント機能により読みとり原稿の枚数が管理される。給送されたコンタクトガラス６上の原稿は読み取りユニット５０によって画像データが読み取られ、読み取りが終了した原稿は、給送ベルト４及び排送ローラ５によって排出される。さらに、原稿セット検知器７にて原稿台２に次の原稿が有ることを検知した場合、前の原稿と同様にコンタクトガラス６上に給送される。給送ローラ３、給送ベルト４、排送ローラ５は搬送モータ２６によって駆動される。
【００１０】
書き込みユニット５７では、読み取りユニット５０にて読み取られた画像データに基づいて生成された作像データによりレーザ出力ユニット５８のレーザの発光を制御し、感光体１５にレーザ書き込みにより潜像を作る。潜像を担う感光体１５は現像ユニット２７を通過することによって潜像にトナーを付着させ、トナー像が形成される。トナー像を保持する感光体１５の回転と等速で搬送ベルト１６によって転写紙を搬送しながら、転写紙に感光体１５上のトナー像を転写する。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。転写後のトナー像を担った転写紙は、その後、定着ユニット１７にて画像を定着させ、排紙ユニット１８によって排紙トレイ１９に排出される。
【００１１】
転写紙の両面に画像を作像する場合は、各給紙トレイ８〜１０から給紙され、作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は再度縦搬送ユニット１４に送られて裏面に画像を印刷された後に排紙される。また、転写紙を反転して排出する場合は、上記で反転ユニット１１２でスイッチバック反転した用紙を両面ユニットに送らずに反転排紙搬送路１１４に送り出して排紙する。感光体１５、搬送ベルト１６、定着ユニット１７、排紙ユニット１８、現像ユニット２７は、メインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００１２】
図２は、図１の装置においてユーザが指令入力を行うために設けられた操作部３０を示す。操作部３０には、液晶タッチパネル３１、テンキー３２、クリア／ストップキー３３、プリントキー３４、モードクリアキー３５、初期設定キー３８があり、液晶タッチパネル３１には、各種機能キー３７、部数、画像形成装置（複写機）の動作状態等の装置状態を示すメッセージなどが表示される。図３は、操作部３０（図２）における液晶タッチパネル３１の表示の一例を示す。オペレータが液晶タッチパネル３１に表示されたキーにタッチする事で、選択された機能を示すキーが黒く反転する。また、機能の詳細を指定しなければならない場合（例えば、変倍であれは変倍値等）は、キーにタッチする事で、詳細機能の設定画面が表示される。このように、液晶タッチパネル３１は、ドット表示器を使用している為、その時の最適な表示をグラフィカルに行う事が可能である。
【００１３】
図４は、メインコントローラを中心にした制御システムを示すブロック図である。図４において、メインコントローラ２０は装置全体を制御する。メインコントローラ２０には、オペレータに対する表示、オペレータからの機能設定入力制御を行う操作部３０、スキャナの制御、原稿画像を画像メモリに書き込む制御、画像メモリからの画像データに対する作像制御等を行う画像処理ユニット（ＩＰＵ）４９、原稿自動送り装置（ＡＤＦ）１、等の分散制御装置が接続されている。各分散制御装置とメインコントローラ２０は必要に応じて機械の状態、動作指令のやりとりを行っている。また紙搬送等に必要なメインモータ２５、中間クラッチや給紙クラッチ等の各種クラッチ２１〜２４も接続されている。また、メインコントローラ２０には、連結動作を行う外部の複数の画像形成装置（複写機）に接続して装置の構成および機能情報、動作制御に関する情報の送受信を行うための連結Ｉ／Ｆ４８が接続されている。メインコントローラ２０は、連結Ｉ／Ｆ４８を介して接続された画像形成装置の画像データ、ジョブ処理要求を含む連結モード時の動作に必要な情報を獲得し、そこに設定された条件に従って連結動作の制御を行う、もしくは接続された外部の画像形成装置からの要求を獲得し、自装置の動作の制御を行う。なお、連結Ｉ／Ｆ４８として、例えば、ＩＥＥＥ１３９４−１９９５（１９９５年、ＩＥＥＥで物理層（Physical Layer）・リンク層（Link Layer）を中心に規格化された高速シリアルバス標準）に準拠した方式を用いることが可能である。図７に連結Ｉ／Ｆ４８により接続された外部画像形成装置と情報の送受信を行うか、否かを設定するための表示部の例を示す。コピーのモード設定画面におけるキー群の一つにこの動作モードを設定する「連結」キーを設ける。なお、図７の設定画面には、この外、画像濃度を自動的に調整する自動濃度キー、画像濃度の指定キー、転写紙を自動的に選択する自動用紙選択キー、用紙指定キー、拡大／縮小倍率をセットする変倍キー、コピーを一部ずつページ順にそろえる処理を指定するソートキー、ソート処理されたものを一部ずつ綴じる処理を指定するステープルキー、スキャナで複数の定型の原稿読み込みハードディスク保存するフォーマット原稿キー、両面モードを設定する両面キー、複数原稿を一枚の用紙にコピーする集約キー等の設定キーを有する。図７に示されている「連結」キーをタッチすることにより、接続されている複数の画像形成装置を用いた連結動作の設定が選択され、自装置が連結動作のマスター機として、以下の設定により接続された自装置以外の画像形成装置（スレーブ機）に対して動作の要求を行う。
また、画像処理ユニット（ＩＰＵ）４９には、読み取りユニット５０から入力される画像データ以外にＰＣやファクシミリ等の外部装置からネットワークＩ／Ｆ８０（図５）を通して送られてくる画像データも処理できるように、複数の画像データを入力する手段を備えている。
【００１４】
図１に戻り、本実施形態のデジタル複合機における原稿の読み取りと画像の書き込みの動作をより詳細に説明する。読み取りユニット５０は、原稿を載置するコンタクトガラス６と走査光学系で構成されており、走査光学系は、露光ランプ５１、第１ミラー５２、レンズ５３、ＣＣＤイメージセンサ５４等で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で走行するような移動機構を用いる。この移動機構は、図示しないスキャナ駆動モータにて駆動される。原稿画像は、ＣＣＤイメージセンサ５４によって読み取られ、電気信号に変換されて処理される。
【００１５】
書き込みユニット５７はレーザ出力ユニット５８、結像レンズ５９、ミラー６０により構成され、レーザ出力ユニット５８の内部には、レーザ光源であるレーザダイオード及びモータによって高速で定速回転する多角形ミラー（ポリゴンミラー）が装備されている。レーザ出力ユニット５８より照射されるレーザ光は、定速回転するポリゴンミラーで偏光され、結像レンズ５９を通り、ミラー６０で折り返され、感光体１５面上に集光結像する。偏向されたレーザ光は感光体が回転する方向と直行する方向（主走査方向）に露光走査され、後述する本装置の制御部（図４）のセレクタ６４より出力された画像信号のライン単位の記録を行う。感光体の回転速度と記録密度に対応した所定の周期で主走査を繰り返すことによって、感光体面上に画像（静電潜像）が形成される。書き込みユニット５７から出力されるレーザ光が、画像作像系の感光体１５を主走査を伴い照射すると同時に、感光体１５の一端近傍の受光位置に設けたビームセンサ（図示せず）を照射することにより、主走査同期信号を発生する。この主走査同期信号をもとに主走査方向の画像記録開始タイミングの制御、および後述する画像信号の入出力を行うための制御信号の生成を行う。
【００１６】
次に、画像読み取りから画像形成等に利用する画像データを生成するまでの画像処理に係わる制御部について、より詳細に説明する。図５は、本実施形態の制御部をブロック図にて示す。読み取りユニット５０では、露光ランプ５１により照射される原稿からの反射光を、ＣＣＤイメージセンサ５４にて光電変換する。ＣＣＤイメージセンサ５４から出力される原稿画像信号をＡ／Ｄコンバータ６１にてデジタル信号に変換した後、シェーディング補正部６２及びＭＴＦ補正・γ補正部６３にてＭＴＦ補正、γ補正の各補正が施される。その後、変倍処理部７２を経由した画像信号は変倍率に合せて拡大縮小され、セレクタ６４に流れる。セレクタ６４では、画像信号の送り先を、プリンタ（書き込み）γ補正ユニット７１または、画像メモリコントローラ６５へ切り替える。プリンタみγ補正ユニット７１を経由した画像信号は作像条件に合わせてプリンタγが補正され、書き込みユニット５７に送られる。
画像メモリコントローラ６５とセレクタ６４間は、双方向に画像信号を入出力可能な構成となっている。また、ＣＰＵ６８は、読み取り部５０から入力され、その後書き込みのために出力され、或いは連結Ｉ／Ｆ４８を介して転送される画像データの画像メモリ６６への書き込み、読み出しアクセスを制御する画像メモリコントローラ６５、連結Ｉ／Ｆ４８、読み取り部５０、書き込み部５７等の動作を制御するので、その動作条件の設定や、制御動作を行うためのプログラムやデータを格納するＲＯＭ６９、ＲＡＭ７０をＣＰＵ６８の制御下に設ける。更にＣＰＵ６８は、メモリコントローラ６５を介して、画像メモリ６６のデータの書き込み、読み出しが行える。
連結Ｉ／Ｆ４８は、画像情報の送受信のため、メモリコントローラ６５のデータバスに接続され、データの入出力が可能な構成になっている。画像形成装置（複写機）間のデータ転送速度に応じて、画像情報は画像メモリ６６を介して転送される。すなわち、画像出力時にはメモリコントローラ６５から画像メモリ６６に画像データを格納した後、画像形成装置間のデータ転送速度に応じて順次画像メモリ６６からデータを読み出して、連結Ｉ／Ｆ４８にデータを転送する。画像出力時には連結Ｉ／Ｆ４８より転送される画像データを画像メモリ６６に格納した後、画像メモリ６６からメモリコントローラ６５を介して装置内部で画像データに書き込みγ補正等の作像データ生成段階の処理を行う。上述の構成により、画像形成装置の機能の制約を受けることなく連結動作の実現が可能となる。
ネットワークＩ／Ｆ８０は、ネットワーク経由で接続されているＰＣからプリンタ出力データの入力を行う。
【００１７】
原稿画像で画像メモリコントローラー６５へ送られた画像は、画像メモリコントローラ内にある画像圧縮装置によって画像データを圧縮した後、画像メモリ６６に送られる。ここで、画像圧縮をする理由は、最大画像サイズ分の２５６階調のデータをそのまま画像メモリ６６に書き込む事も可能であるが、１枚の原稿画像で画像メモリを大変多く使用する。画像圧縮を行う事で、画像限られた画像メモリを有効に利用できる。また、一度に多くの原稿画像データを記憶することが出来るため、ソート機能として、貯えられた原稿画像イメージデータをページ順に出力する事ができる。この場合画像を出力する際に画像メモリ６６のデータをメモリコントローラ６５内の伸長装置で順次伸長しながら出力を行う。このような機能は一般に「電子ソート」と呼ばれている。
また、画像メモリ６６を利用したコピー機能として、複数枚の原稿画像を、画像メモリ６６の転写紙一枚分のエリアを分割したエリアに順次読み込む事も可能となる。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。さらに、画像メモリ６６の画像はＣＰＵ６８からアクセス可能な構成となっている。このため画像メモリ６６の内容を加工することが可能であり、例えば画像の間引き処理、画像の切り出し処理等が行える。加工には、メモリコントローラー６５のレジスタにデータを書き込む事で画像メモリの処理を行う事ができる。加工された画像は再度画像メモリに保持される。また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。画像メモリ６６は、多くの画像データを収納するためハードディスクが用いられることもある。ハードディスクを用いる事により、外部電源が不用で永久的に画像を保持できる特徴もある。複数の定型の原稿（フォーマット原稿）をスキャナで読み込み保持するためには、このハードディスクが用いられのが一般的である。
【００１８】
ここで、図６を参照して、セレクタ６４において操作される１ページ分の画像信号のタイミングについて説明する。図６において、／ＦＧＡＴＥは、フレームゲート信号であり、１ページの画像データの副走査方向の有効期間を表している。／ＬＳＹＮＣは、１ライン毎の主走査同期信号であり、この信号が立ち上がった後の所定クロックで、画像信号が有効となる。／ＬＧＡＴＥはラインゲート信号であり、主走査方向の画像信号が有効であることを示す信号である。これらの信号は、画素クロック（画素同期信号）ＶＣＬＫに同期しており、ＶＣＬＫの１周期に対し１画素８ビット（２５６階調）のデータが送られてくる。本実施例では、画像データは２５５に近いほど白画像になるようなデータ表現をとる。
【００１９】
次に、上記のように構成するデジタル複写機の動作について概略説明する。図８は、本デジタル複写機の動作のメインフローを例示する。図示のフローを参照すると、電源投入時には、まず初期化処理を行う（Ｓ０１）。初期化処理の主な内容は、各種フラグのリセット、各種カウンターのクリア、画像メモリのクリア、画像形成モード（変倍、分割など）のリセット等を行うことにより、初期状態をとるようにする。初期化終了後、操作部３０でユーザー（オペレータ）の操作によるキー入力又は、画像形成エンジンで起きるイベント（何等かの変化要因）の発生待ちとなる（Ｓ０２）。この状態で、ユーザーが何等かのキー操作を行ったときには、操作部３０よりキー入力イベントとして通知される。同様に、何等かの作像エンジンの変化、例えばＡＤＦ１に原稿をセットすると原稿セット検知器７の信号の変化がエンジン・イベントとして通知される。イベントの通知により、キー又はエンジン、何れかのイベントの発生を認識すると（Ｓ０２-YES）、次に発生したイベントがキー入力なのか、エンジンなのかイベントの種類を判定する（Ｓ０３）。判定の結果、エンジンの場合は、エンジン・イベント処理（Ｓ０４）が、キー入力の場合は、キー入力イベント処理（Ｓ０５）が呼び出され、その後、再びステップＳ０２のイベントの発生待ちとなる。
【００２０】
ここで、図８のキー入力イベント処理（Ｓ０５）について、図９を参照してより詳しく説明する。各種モード設定は、操作部３０のキー入力により行われ、連結動作モードもこの中に含まれる。
図９に示すフローでは、先ず、プリントスタートキーのキー押下イベントをチェックする（Ｓ１１）。プリントスタートキーであれば、コピー処理を実行する（Ｓ１８）。次に、テンキーのキー入力があったか否かをチェックし（Ｓ１２）、キーイベントがテンキーであれば、テンキー処理を行う（Ｓ１９）。次に、クリアストップキーの押下イベントをチェックし（Ｓ１３）、クリアストップキーのイベントであれば、クリアストップ処理を実行する（Ｓ２０）。次に、両面設定キーイベントの判断を行い（Ｓ１４）、両面機能が選択あるいは選択状態から解除された時に、両面設定処理を実行する（Ｓ２１）。次に、フォーマット原稿設定キーイベントの判断を行い（Ｓ１５）、フォーマット原稿機能が選択あるいは選択状態から解除された時に、フォーマット原稿設定処理を実行する（Ｓ２２）。次に、連結設定キーの押下イベントをチェックし（Ｓ１６）、連結設定キーのイベントであれば、連結動作モードの設定処理（後記に詳述）を実行する（Ｓ２３）。次に、ステップＳ１１〜１６まで以外のキーイベントがあったか否かを判断し（Ｓ１７）、キーイベントがあった場合には、その他のキー処理を実行する（Ｓ２４）。上記した各々のキーイベント処理を実行した後、処理を終了する。
【００２１】
次に、連結動作を行うデジタル複写機及び該複写機を連結Ｉ／Ｆで接続したシステムの画像出力についてさらに説明する。図１０は、上記したデジタル複写機を連結したシステムの一例を示すものである。同図に示す機械Ａ〜Ｅは、それぞれスキャナユニット８０Ａ〜８０Ｅと作像装置（プリンタユニット）９０Ａ〜９０Ｅからなり、簡略化された形式で表しているが、各々の機械は上記デジタル複写機を構成するもので、連結Ｉ／Ｆ４８を介して接続されている。上記のように構成される連結システムにおいて、連結モードの動作では、自機での読み取り画像データだけではなく、連結された機械で読み取られ、転送されてくるデータをもとに画像出力を行うことが可能になる。
本実施形態では、連結モードで画像出力を行う場合に、自機で単独に画像出力を行う場合との画質に差が生じないようにすること、つまり、連結された異なるスキャナユニットにより読み取った原稿画像データを基にしても、画像出力するプリンタユニットが同じであれば、同じ画質になるようにすることを目的とする。このために、ここでは、所定の入力条件により一方の機械のプリンタユニットで画像出力をさせ、その画像を他方の機械のスキャナユニットにより読み取り、得られる画像データをγ補正データの基礎データとして用いるようにする。このデータを基礎に算出したγ補正データを他機（上記基礎データを得た機械）から転送されてくる画像データに適用する。こうした補正方式により、目的とする画質の違いを無くすことを可能にする。
【００２２】
図１１は、このγ補正方式を図１０の連結システムに用いるときのプリンタγ補正データを登録する手順を説明し、図１２は、図１１の手順を実行することにより、機械Ａに登録されたプリンタγ補正データを示す。なお、ここでは、説明の便宜上、図１０中の機械Ａ，Ｂを抜き出して、それらの関係について説明するが、機械の数によって手法が変わるわけではなく、基本的には下記に説明する例と同様に他の機械にも実施し得る。図１１に示す実施例では、機械Ａ，Ｂについて、相互にプリンタγ補正ができるように各々の機械に自機と連結機のγ補正データを用意する。即ち、機械Ａは、自身のスキャナユニット８０Ａ（識別情報を持ち、それをID：S01とする）により読み取った原稿画像データに基づいて作像装置９０Ａ（識別情報を持ち、それをID：P01とする）により画像出力を行うときに用いるプリンタγ補正データ：γ1と、機械Ｂのスキャナユニット８０Ｂ（ID：S02）により読み取った後、連結動作により転送されてきた原稿画像データに基づいて、作像装置９０Ａにより画像出力を行うときに用いるプリンタγ補正データ：γ2を登録する（図１２、参照）。また、機械Ｂについても同様に、機械Ａのスキャナユニット８０Ａにより読み取った後、連結動作により転送されてきた原稿画像データに基づいて、作像装置９０Ｂにより画像出力を行うときに用いるプリンタγ補正データと、自身のスキャナユニット８０Ｂと作像装置９０Ｂにより画像出力を行うときに用いるプリンタγ補正データを登録する。このように用意された補正値によりプリンタγ補正を行うと、連結動作による場合、或いは自機のみの動作による場合のいずれの画像出力においても、その出力に画質の差異が生じることはない。
【００２３】
上記した動作を可能にするためには、プリンタγ補正データを登録しておく必要があるが、その手順は、次のようにして実施し得る。図１１の例を参照して説明すると、先ず、機械Ａのプリンタユニット９０Ａに、基準のグラデーション（階調）パターンの画像出力を得るための入力を与えて、パターンを作像、出力させる。次に得られるパターンを、自身の機械Ａと連結動作をする機械Ｂのスキャナユニットでそれぞれ読ませ、読み取りデータを機械Ａ（グラデーションパターンを出力した機械）が用いるγ補正データの基礎データとして、機械Ａの管理下におく。このときに、機械Ｂのスキャナユニットで読ませたパターンデータは、読み取りデータを機械Ａに転送し、管理下の記憶部に保存する。
また、機械Ｂのプリンタユニット９０Ｂにも同様に基準のグラデーションパターンを出力させ、その出力パターンを機械Ａ，Ｂのスキャナユニットで読み取らせ、得られるγ補正データの基礎データを機械Ｂの管理下におく。
機械Ａ，Ｂでは、相互にグラデーションパターンから読み取った基礎データをもとにプリンタγ補正データを算出し、算出したデータをその後使用するために登録しておく。なお、上記で示した、基準のグラデーション（階調）パターンを自機のスキャナで読み取り、その結果を用いて、原稿とコピーの濃度を一致させるγ補正データを求めるための基本的な手法自体は、単独の（連結動作をしない）カラー機では、従来から自動階調補正(Auto Color Calibration：ＡＣＣ)として、公知である。
【００２４】
上記のようにして求めたプリンタγ補正データを、この後、補正対象となる原稿画像データへのγ補正に用いるために、そのデータを管理する必要がある。プリンタγ補正データは、少なくとも自機と、連結した機械とに係わるデータがあり、それぞれ決められた機械のスキャナユニットで生成した画像データに適用する必要があるので、使用時に対象画像に適合する補正データを用いるために、補正データに識別情報を関係付けて登録し、管理しなければならない。
ここでは、原稿画像データを読み取ったスキャナユニットにより適合するγ補正データが決まるので、転送元の機械側では転送画像とともにその画像を読み取ったスキャナユニットのIDを付加してデータの転送を行い、また、画像出力を行う機械側ではγ補正データを識別情報としてのスキャナユニットIDと関係付けて登録し、スキャナIDの識別子管理の下におく（図１２、参照）。こうすることにより、補正時に、転送データに付加されたスキャナユニットIDを識別子として、識別子のIDにより登録されたγ補正データを適合するデータとして取得し、γ補正処理に用いることが可能になる。
【００２５】
次に、上記のようにして登録されたプリンタγ補正データを用いて行われる、連結動作が可能な本例の複写機による作像（画像形成）時の動作について説明する。
本実施形態は、連結動作が可能な複合型の複写機に多種類のパスを通って入力される異なる種類の画像データに対して、それぞれに適合するプリンタγ補正を行うことを意図するものである。複合型の本複写機により出力が可能な多種類の入力パス（入力元）としては、本複写機自身のスキャナ入力、連結した複写機を転送元とする入力、或いはプリンタ機能やファクシミリ機能を利用する入力等が含まれる。従って、上記した連結モードにおける補正に加えて、その他の入力パスを考慮した補正方法によって対応する。
本実施形態では、プリンタγ補正の際に、本複写機及び連結した複写機に対しては、上述したＡＣＣ方式による手順によって登録したプリンタγ補正データを用い、その他の入力パスについては、スキャナ入力経由のデータに用いるプリンタγ補正データを用いることは適当ではないので、プリンタγ補正をしない、即ちプリンタγスルーとする。このようにして、それぞれの画像データに適合した書き込み画像データを得るようにする。
【００２６】
上記した動作を実現するためには、画像出力要求時に入力画像に基づいてその画像入力のパス（入力元）を判別して、判別された画像に適合するプリンタγ補正データを用いて画像データのγ補正動作を行わせるための手段を必要とする。即ち、画像入力パスを判別する手段と、画像出力時に判別した入力パスがスキャナ入力を経由している場合にはプリンタγ補正データをスキャナユニットIDに対応付けて登録したデータに切り替える手段を用意しなければならない。
本実施形態では、これらの手段を画像処理ユニット（ＩＰＵ）４９のＣＰＵ６８に画像処理プログラムを実行させることにより実現する。具体的には、画像出力を行う際に、出力要求された画像データに付加された管理データによって入力パスを判別する。即ち、管理データには、スキャナ入力による場合には入力画像データを読み取ったスキャナの識別情報（スキャナID）が付加され、プリンタドライバで生成されてネットワークＩ／Ｆ７７を通して入力されたプリンタデータである場合にもそのパスを表す情報が付加されているので、管理データを解読することによって、これらのデータの存在をチェックすることができる。スキャナIDについては、スキャナIDにより入力パスの違いを判別し、それぞれに異なるプリンタγ補正を適用する。デフォルトで本機のスキャナ入力パスのプリンタ補正データが設定されているときには、γ補正データを用いないプリンタデータに対しては、スルーに切り替え、また、連結機からの場合には、入力に用いたスキャナIDに対応する補正データとして登録した補正データに切り替え、それぞれに適合するプリンタγ補正を行い、補正後のデータにより作像処理を行う。
【００２７】
図１３は、本実施形態の連結動作が可能な複写機による作像処理を実行するフローの一例を示すチャートである。このフローは画像出力要求があった場合に画像処理ユニット（ＩＰＵ）４９が実行するものである。
図１３のフローによると、画像出力処理の始めに、出力要求されたジョブのデータを解読し、ジョブに付加された管理データをチェックすることにより画像入力パス（入力元）を判別する（Ｓ３１）。
この実施例では、チェックの結果、管理データにプリンタデータであることを表すデータが存在すれば、外部のＰＣ等からネットワークＩ／Ｆ８０経由で複写機のプリンタ機能を利用して入力された印刷ジョブであると判断する。
また、スキャナIDが存在する場合には、スキャナIDを入力パスの判別情報として得るとともに、ここでは後段で処理を分岐するために、本機のスキャナであるか、連結元のスキャナであるかを判別する。
【００２８】
この後、判別情報に従ってプリンタγ補正処理を分岐する。入力パスがプリンタ機能を利用して入力されたものである場合には、プリンタγ補正をかける必要がないので、デフォルトで本機の補正データが設定されているという条件では、このプリンタγ補正をスルーさせる処理に切り替え（Ｓ３２）、スルーさせた画像データに基づいて書き込み処理ユニット５７を動作させ、出力を開始させ（Ｓ３８）、このフローを終了する。
また、スキャナIDが存在し、本機のスキャナを使用した入力パスの場合には、デフォルトで本機のプリンタγ補正データ（プリンタγ１）が設定されているという条件では、設定を切り替える必要がなく、設定された補正データによる補正処理を行い（Ｓ３３）、補正後のデータに基づいて書き込み処理ユニット５７を動作させ、出力を開始させ（Ｓ３８）、このフローを終了する。
なお、プリンタγ補正データの設定に関して言及すると、上記のようなデフォルト設定による補正データを用いない方法による場合、即ち、登録されているプリンタγ補正データがＡＣＣを行って求めた基礎データ（図１１，１２、参照）であり、この基礎データに基づいて実際の作像時に作像エンジンの状態にあわせたプリンタγ補正データに調整するための計算を行った後、得た補正データを画像データの補正に適用するような方法をとる場合には、前段のＳ３１で識別したスキャナIDによって登録した補正用の基礎データを検索し、実際に画像データに適用するプリンタγ補正を算出する手順を実行する必要がある。
【００２９】
また、画像入力にスキャナIDが存在し、連結元のスキャナを使用した入力パスであると判別された場合には、デフォルトで本機のプリンタγ補正データが設定されているという条件では、スキャナIDにより示される連結元のスキャナに適合するプリンタγ補正データ（プリンタγ２）に設定を切り替え、切り替えた補正データによる補正処理を行う必要がある。
ただし、本実施形態では、連結元のスキャナに適合するプリンタγ補正データが登録されていない場合を想定し、その場合により適切な対応を取ることを可能にする手順を備えるようにしている。この対応手順の一つは、未登録のプリンタγ補正データの登録をオペレータに促す画面表示を操作部３０の画面３１に行うことにより、上述のＡＣＣ方式によるプリンタγ補正データの登録処理（ＡＣＣモード処理）を行わせ、その後登録した連結元に適合する補正データにより最適な画像出力を得ることを可能にする。また、もう一つの対応手順として、上記した未登録のプリンタγ補正データを登録する処理を選ばない場合には、次善の対応として本機のプリンタγ補正データ（プリンタγ１）を適用することにより補正を行い、画質が著しく変化することを回避することができるようにする。
【００３０】
従って、図１３における連結元のスキャナを使用した入力パスに対する処理フローでは、連結元のスキャナを使用した入力パスに対応するプリンタγ補正データが登録されているか否かをスキャナIDをもとに調べ（Ｓ３４）、あれば、登録された入力パスに対応するプリンタγ補正データを検索して補正データ（プリンタγ２）を得、デフォルト設定されたデータ（プリンタγ１）をこの補正データに切り替えて、設定された補正データによる補正処理を行い（Ｓ３５）、補正後のデータに基づいて書き込み処理ユニット５７を動作させ、出力を開始させ（Ｓ３８）、このフローを終了する。
他方、連結元のスキャナを使用した入力パスに対応するプリンタγ補正データが登録されていない場合（Ｓ３４-NO）、操作部３０の表示画面３１に、適切な補正が可能なプリンタγ補正データが未登録であることと、ＡＣＣモードを実行することを促す旨のメッセージを画面表示する。また、同時に、その場でＡＣＣモードを行うか、又はＡＣＣモードを実行しない場合に本機のプリンタγ補正データ（プリンタγ１）を適用するので、どちらを選ぶかの確認を表示画面で行わせる（Ｓ３６）。
次いで、ユーザの選択操作を確認し、その結果に従い、ＡＣＣモードを実行する場合には、この画像出力処理を中止してＡＣＣモードに移行する。また、本機のプリンタγ補正データを適用することを選んだ場合には、上述のように、デフォルトで本機のプリンタγ補正データ（プリンタγ１）が設定されているという条件では、設定を切り替える必要がなく、設定された補正データによる補正処理を行い（Ｓ３３）、補正後のデータに基づいて書き込み処理ユニット５７を動作させ、出力を開始させ（Ｓ３８）、このフローを終了する。
【００３１】
次に、上記の作像（画像形成）データのプリンタγ補正に用いるために登録される補正データのメンテナンスに関する実施形態について説明する。
連結動作が可能な複合型の複写機に多種類のパスを通って入力される異なる種類の画像データに対して、それぞれに適合するプリンタγ補正し、画像出力の画質を保証するためには、上記のように、各入力パスに対応するプリンタγ補正データを登録する必要がある（図１１、参照）。このγ補正データの登録は、自機のスキャナ入力画像に対する補正データについては、自機のスキャナによりＡＣＣパターンを読ませることにより得ることができるので、その場で登録手順を実行することができる。ところが、連結元に対応する補正データの場合には、ＡＣＣパターンを連結先の機械まで運び、スキャナ読み取りをさせるといった手順を行わなければならないので、自機の実行と即時に連結元の補正データを登録することができない。従って、新規に補正データを登録したり、或いは経時変化によりＡＣＣによるプリンタγ補正データの書き換えが必要になる場合が生じたときに、連結元の補正データが未登録の状態になること、或いは書き換えが行われないといったことが起こり得る。
本実施形態は、上記のような未登録や書き換えの不実施を未然に防止するように、自機の補正データの登録や書き換え時に、連結先の補正データのメンテナンスを合わせて行うことを可能にする手段を備えることにより、適正な補正動作を保証するを意図するものである。
【００３２】
図１４は、ＡＣＣ（自動階調補正）登録モードの動作フローの一例を示すチャートである。このフローはＡＣＣ登録を行う複写機とこの複写機の連結先となる複写機に対しＡＣＣ登録モードの動作を行わせる場合に、それぞれの画像処理ユニット（ＩＰＵ）４９が実行するものである。
図１４のフローによると、操作部３０からＡＣＣ登録モードを実行する操作画面を呼び、そこからプリンタγ補正データの登録処理に入り、始めに本機（データを登録する機械）のプリンタユニットに基準のグラデーション（階調）パターンの画像出力を得るための入力を与えて、ＡＣＣパターンを作像、出力させる（Ｓ４１）。
次いで、出力したＡＣＣパターンを本機のスキャナユニットで読み取る（Ｓ４２）。読み取り結果として得られるパターン画像データには、パターン出力を行わせたプリンタユニットの機器特性及びパターン読み取りを行ったスキャナーユニットの機器特性が反映されている。
このＡＣＣパターン読み取りデータを本機のスキャナ入力パスに用いるγ補正用のデータ（プリンタγ１）として、管理下の記憶部に保存する（Ｓ４３）。
この後、本機が連結動作の可能な状態にあれば、登録した本機のスキャナ入力パスに用いる補正データと同様に、連結元からの入力パスに用いる補正データも現時点で行ったＡＣＣを反映させた形で本機へ新たな登録が必要となるので、この補正データのメンテナンスのために次の動作を実行する。
図１４のフローに示すように、まず本機が他機と連結されているかをチェックし（Ｓ４４）、連結状態でなければ、スタンドアロンで設置されており、このメンテナンスは必要がないので、登録処理を終了する。
他方、連結状態であれば、連結元からの入力パスに用いる補正データとして登録されていたデータを無効にするために、リセットをかける（Ｓ４５）。
また、同時に、連結元に対応するプリンタγ補正データを新たに登録する（書き換えを含む）ことを指示する旨のメッセージを操作部３０の表示画面３１に表示することにより、その実行を促し（Ｓ４６）、登録処理を終了する。
【００３３】
上記のように、本機でプリンタγ補正データの登録処理を行うと、一旦、連結元からの入力パスに用いる補正データは、リセットをかけられるので、そのままの状態にして置くと、連結元からの入力パスによる画像出力要求があったときに、プリンタγ補正に用いる補正データがない状態になって、上記した図１３のフローにおけるＳ３６，Ｓ３７のシーケンスに入ってしまう。ここで、印刷出力を選択すると（Ｓ３７-OK）、本機のスキャナ入力パスに用いるγ補正用のデータ（プリンタγ１）を用いることになるので、最適な補正データによる出力ができない。
従って、図１４におけるＳ４６の連結元に対応するプリンタγ補正データを新たに登録する手順をメッセージに従って実行することが望ましい。
連結元に対応するプリンタγ補正データを新たに登録する手順は、Ｓ４１で作像、出力させたＡＣＣパターンを連結元のスキャナユニットで読み取らせる（Ｓ５１）。読み取り結果として得られるパターン画像データには、パターン出力を行わせた本機のプリンタユニットの機器特性に加えパターン読み取りを行った連結先のスキャナーユニットの機器特性が反映されることになる。
この後、このＡＣＣパターン読み取りデータを本機の転送元からのスキャナ入力パスに用いるγ補正用のデータ（プリンタγ２）として、本機の管理下の記憶部に保存する（Ｓ５２）。なお、ここで得られるプリンタγ補正データは、転送元の複写機から本機の記憶部へ転送する必要があるが、これは、連結機能を用いることにより実施することが可能である。
このように、転送元からのスキャナ入力パスに用いるγ補正用のデータを新たに登録することによって、上記した図１３のフローにおけるＳ３４，Ｓ３５のシーケンスを実行することが可能になり、出力画像における画質の最適化が図れる。
【００３４】
また、本機でプリンタγ補正データの登録処理を行うと、一旦、連結元からの入力パスに用いる補正データはリセットされるので、そのままでは、上述のようにプリンタγ補正に用いる補正データがない状態になって、上記した図１３のフローにおけるＳ３６，Ｓ３７のシーケンスに入ってしまう。
そこで、リセットした連結元からの入力パスに用いる補正データの代わりに本機のスキャナ入力パスに用いるγ補正用のデータ（プリンタγ１）或いは初期値として設定されるデータを、連結元に対応するプリンタγ補正データを新たに登録する手順（図１４、Ｓ５１、５２）を実行するまでの間、仮に用いるデータとして自動的に書き換えるようにする。
このように、転送元からのスキャナ入力パスに用いるγ補正用のデータを最適値が登録されるまでの間、次善のデータを仮に登録することによって、上記した図１３のフローにおけるＳ３４，Ｓ３５のシーケンスを実行することが可能になり、出力画像における画質の劣化を回避できる。
【図面の簡単な説明】
【００３５】
【図１】本発明の実施形態に係わるデジタル複写機の全体構成を概略図として示す。
【図２】図１のデジタル複写機における操作部の１例を示す。
【図３】図２の操作部に備えた液晶タッチパネルの表示の一例を示す。
【図４】本発明の実施形態に係わるデジタル複写機におけるメインコントローラを中心にした制御システムを示すブロック図である。
【図５】本発明の実施形態に係わるデジタル複写機の画像データ処理に関係する制御部をブロック図にて示す。
【図６】１ページ分の画像信号に関係するタイミング信号の関係を説明する図である。
【図７】キー群の一つに「連結」キーを設けたコピーモード設定画面の１例を示す。
【図８】本実施形態のデジタル複写機におけるメイン動作のフローを示す。
【図９】連結動作モードの設定に関係する図８のキー入力イベント処理のフローを示す。
【図１０】デジタル複写機を連結したシステムの一例を示す。
【図１１】プリンタγ補正データを登録する手順を説明する図である。
【図１２】図１１の手順を実行することにより、登録されたプリンタγ補正データを示す。
【図１３】連結動作が可能な複写機による作像処理を実行するフローチャートを示す。
【図１４】ＡＣＣ（自動階調補正）登録モードの動作フローを示すチャートである。
【符号の説明】
【００３６】
１・・・自動原稿送り装置（ＡＤＦ）、     ２・・・原稿台、
６・・・コンタクトガラス、             １５・・・感光体、
１７・・・定着ユニット、                 ２０・・・メインコントローラ、
２７・・・現像ユニット、                 ３０・・・操作部、
３１・・・液晶タッチパネル、             ３４・・・プリントキー、
４８・・・連結Ｉ／Ｆ、                   ４９・・・ＩＰＵ（画像処理ユニット）、
５０・・・読み取りユニット、             ５１・・・露光ランプ、
５４・・・ＣＣＤイメージセンサ、         ５７・・・書き込みユニット、
５８・・・レーザ出力ユニット、           ６７・・・Ｉ／Ｏポート、
６８・・・ＣＰＵ、                      ６５・・・画像メモリコントローラ、
６６・・・画像メモリ、                   ７１・・・プリンタγ補正、
７７・・・ネットワークＩ／Ｆ、 ８０Ａ〜８０Ｅ・・・スキャナーユニット、
９０Ａ〜９０Ｅ・・・作像装置（プリンタユニット）。
【図１】
2005191804.tif 000003
【図２】
2005191804.tif 000004
【図３】
2005191804.tif 000005
【図４】
2005191804.tif 000006
【図５】
2005191804.tif 000007
【図６】
2005191804.tif 000008
【図７】
2005191804.tif 000009
【図８】
2005191804.tif 000010
【図９】
2005191804.tif 000011
【図１０】
2005191804.tif 000012
【図１１】
2005191804.tif 000013
【図１２】
2005191804.tif 000014
【図１３】
2005191804.tif 000015
【図１４】
2005191804.tif 000016